(57)【要約】【課題】出力盤及び保守バイパス盤の機能を損なうことなく、設置スペースを小さくすることが可能な無停電電源システムを提供する。【解決手段】各々交流電源から給電される複数台の無停電電源装置１１、１２、１３と、各々の無停電電源装置１１、１２、１３の出力を夫々出力スイッチ３１ａ、３１ｂ、３１ｃを介して並列接続する並列母線を有するすくなくとも１台の出力盤３１とを具備する無停電電源システムにおいて、出力盤３１に、各々の交流電源と、並列母線とを夫々接続する保守バイパススイッチ３１ｄ、３１ｅ、３１ｆを設けることにより、並列母線を保守バイパススイッチ用接続母線と共用する構成とする。【選択図】  図１
2012222886.tif 000002
【特許請求の範囲】
【請求項１】
各々交流電源から給電される複数台の無停電電源装置と、
前記各々の無停電電源装置の出力を夫々出力スイッチを介して並列接続する並列母線を有するすくなくとも１台の出力盤と
を備えた無停電電源システムであって、
前記出力盤は、
前記各々の交流電源と、前記並列母線とを夫々接続する保守バイパススイッチを有し、前記並列母線を前記保守バイパススイッチ用接続母線と共用するように構成したことを特徴とする無停電電源システム。
【請求項２】
前記無停電電源装置用の前記出力スイッチと、当該無停電電源装置に給電する交流電源から前記並列母線に接続する前記保守バイパススイッチの各々の組を、
夫々双投式メカニカルスイッチに置き換えたことを特徴とする請求項１に記載の無停電電源システム。
【発明の詳細な説明】
【技術分野】
【０００１】
この発明は、並列運転を行う無停電電源システムに関するものである。
【背景技術】
【０００２】
図３は、例えば非特許文献１に示されている２台以上の無停電電源装置で構成される無停電電源システムのブロック構成図である。図において、無停電電源装置１１、１２及び１３は、夫々入力変圧器盤２１、２２及び２３から交流電圧が供給される。無停電電源装置１１、１２及び１３の出力側には、無停電電源装置１１、１２及び１３のうち何れからも受電可能なように構成された出力盤３１及び３２が設けられている。通常の運転時には出力盤３１及び３２の出力スイッチを共に投入し、盤内の並列母線を介して無停電電源装置１１、１２及び１３を並列運転する。そして、これら出力盤３１及び３２の出力は、２系統以上に幹線分岐する出力分岐盤５１、５２の入力となるが、無停電電源装置１１、１２及び１３を保守するために、入力変圧器盤２１、２２及び２３から各々分岐して、例えば出力分岐盤５１の入力に切換接続して負荷へ給電するための保守バイパス回路切換スイッチ４１ａを内蔵した保守バイパス盤４１が設けられている。
【先行技術文献】
【非特許文献】
【０００３】
【非特許文献１】小笠原、「ＵＰＳのシステム構成」、生産と電気、日本電気協会、２００９年１２月１５日、第６１巻１２号、ｐ.１９−２３
【発明の概要】
【発明が解決しようとする課題】
【０００４】
従来の無停電電源システムは以上のように構成されているので、交流入力電源を無停電電源装置を通さずに負荷に給電して無停電電源システムを点検するためには保守バイパス盤が必要であった。そして、無停電電源システムのシステム容量が大きくなると、大容量の保守バイパス回路スイッチ及び大容量の保守バイパス回路母線が必要となり、そのため保守バイパス盤が大きくなり、設置スペースの問題があった。
【０００５】
この発明は上記のような課題を解決するためになされたものであり、出力盤及び保守バイパス盤の機能を損なうことなく、設置スペースを小さくすることが可能な無停電電源システムを提供することを目的とする。
【課題を解決するための手段】
【０００６】
上記目的を達成するために、本発明の無停電電源システムは、各々交流電源から給電される複数台の無停電電源装置と、前記各々の無停電電源装置の出力を夫々出力スイッチを介して並列接続する並列母線を有するすくなくとも１台の出力盤とを備えた無停電電源システムであって、前記出力盤は、前記各々の交流電源と、前記並列母線とを夫々接続する保守バイパススイッチを有し、前記並列母線を前記保守バイパススイッチ用接続母線と共用するように構成したことを特徴としている。
【発明の効果】
【０００７】
この発明によれば、出力盤及び保守バイパス盤の機能を損なうことなく、設置スペースを小さくすることが可能な無停電電源システムを提供することができる。
【図面の簡単な説明】
【０００８】
【図１】この発明の実施例１に係る無停電電源システムを示すブロック構成図である。
【図２】この発明の実施例２に係る無停電電源システムを示すブロック構成図である。
【図３】従来の無停電電源システムを示すブロック構成図である。
【発明を実施するための形態】
【０００９】
以下、図面を参照して本発明の実施例を説明する。
【実施例１】
【００１０】
以下、この発明の実施例１について図１を参照して説明する。図１は２台以上の無停電電源装置で構成される、この発明の実施例１に係る無停電電源システムのブロック構成図である。図において、無停電電源装置１１、１２及び１３は、交流電源から夫々入力変圧器盤２１、２２及び２３を介して交流電圧が供給される。無停電電源装置１１、１２及び１３の出力側には、無停電電源装置１１、１２及び１３のうち何れからも受電可能となるように切換可能な出力盤３１及び３２が設けられている。また、出力盤３１及び３２の出力は、２系統以上に幹線分岐する出力分岐盤５１、５２に接続されている。
【００１１】
無停電電源装置１１、１２及び１３は、交流給電をバイパスして負荷に供給するためのバイパス側スイッチ１１ａ、１２ａ及び１３ａ、また、内部のインバータの出力側に設けられたインバータ側スイッチ１１ｂ、１２ｂ及び１３ｂを夫々具備している。尚、無停電電源装置１１、１２及び１３は周知の装置であるので、内部構成の詳細な説明はここでは省略する。
【００１２】
出力盤３１には、無停電電源装置１１、１２及び１３からの出力を夫々選択的に受電するための出力スイッチ３１ａ、３１ｂ及び３１ｃが設けられ、これらの出力スイッチ３１ａ、３１ｂ及び３１ｃの出力は出力盤３１内の出力側に設けられた共通母線に接続されている。同様に、出力盤３２には、無停電電源装置１１、１２及び１３からの出力を夫々選択的に受電するための出力スイッチ３２ａ、３２ｂ及び３２ｃが設けられ、これらの出力スイッチ３２ａ、３２ｂ及び３２ｃの出力は出力盤３２内の出力側の共通母線に接続されている。
【００１３】
そして、無停電電源装置１１、１２及び１３の各々を保守するために、入力変圧器盤２１、２２及び２３から夫々分岐して、出力盤３１の共通母線に切換接続して負荷へ給電するための保守バイパス回路スイッチ３１ｄ、３１ｅ、及び３１ｆが出力盤３１内に夫々設けられている。出力盤３２側についてもこのような保守バイパス回路スイッチが必要であればこれらを設ける構成とするが、ここでは不要なものとして図示していない。
【００１４】
以上の構成において、従来大きなスペースを要して設けられていた保守バイパス盤及び保守バイパス回路母線は省略され、これらの何れもが出力盤及びその出力側の共通母線によって共用される構成となっている。
【００１５】
次に動作について説明する。通常の運転モードにおいては、無停電電源装置１１、１２及び３は、インバータ側スイッチ１１ｂ、１２ｂ及び１３ｂを投入し、出力盤３１及び３２の出力スイッチ３１ａ、３１ｂ及び３１ｃ、並びに出力スイッチ３２ａ、３２ｂ及び３２ｃの全てを投入して並列運転を行う。無停電電源装置を点検するためには、まず、ＵＰＳ内部のバイパス側スイッチ１１ａ、１２ａ及び１３ａを投入し、インバータ側スイッチ１１ｂ、１２ｂ、及び１３ｂを開放して、交流入力電源を無停電電源装置内部のバイパス回路を通して給電するバイパス給電とする。次に、保守バイパス回路スイッチ３１ｄ、３１ｅ、及び３１ｆを投入し、出力スイッチ３１ａ、３１ｂ及び３１ｃを開放して出力分岐盤５１への給電を無停電電源装置側から入力変圧器盤側に切換える。このようにして、交流入力電源を無停電電源装置を通さずに負荷に給電することが可能となり、従って無停電電源装置の保守点検が可能となる。
【００１６】
すなわち、上記動作においては、従来例のように保守バイパス回路切換スイッチ４１ａによって一括して保守バイパス回路に切換えることはできないが、基本的には従来システムの機能を損なうことなくシステムの簡略化、スペースの削減が達成されている。
【実施例２】
【００１７】
図２は本発明の実施例２に係る無停電電源システムのブロック構成図である。この実施例２の各部について、図１の本発明の実施例１に係る無停電電源システムの各部と同一部分は同一符号で示し、その説明は省略する。この実施例２が実施例１と異なる点は、出力盤３１内の出力スイッチ３１ａ、３１ｂ及び３１ｃ並びに保守バイパス回路スイッチ３１ｄ、３１ｅ、及び３１ｆの合計６台のメカニカルスイッチを３台の双投式メカニカルスイッチ３１ｇ、３１ｈ及び３１ｉに置き換える構成とした点である。
【００１８】
前述したように、実施例１において無停電電源装置１１を点検するためには、保守バイパス回路スイッチ３１ｄを投入して出力スイッチ３１ａを開放する。これら保守バイパス回路スイッチ３１ｄと出力スイッチ３１ａの組の機能は、双投式メカニカルスイッチ３１ｇに置き換えることが可能である。同様に、保守バイパス回路スイッチ３１eと出力スイッチ３１ｂの組、保守バイパス回路スイッチ３１ｆと出力スイッチ３１ｃの組の機能は、夫々双投式メカニカルスイッチ３１ｈ、３１ｉに置き換えることが可能である。尚、無停電電源システムとして上記切換時に負荷給電の瞬断が許容されないような場合においては、双投式メカニカルスイッチ３１ｇ、３１ｈ及び３１ｉとしてオーバーラップ式のものを使用すれば良い。
【００１９】
このように双投式メカニカルスイッチを用いることにより、更に部品点数を削減し、設置スペースを低減することが可能となる。
【符号の説明】
【００２０】
１１、１２、１３  無停電電源装置
１１ａ、１２ａ、１３ａ  バイパス側スイッチ
１１ｂ、１２ｂ、１３ｂ  インバータ側スイッチ
２１、２２、２３  入力変圧器盤
３１、３２  出力盤
３１ａ、３１ｂ、３１ｃ、３２ａ、３２ｂ、３２ｃ  出力スイッチ
３１ｄ、３１ｅ、３１ｆ  保守バイパス回路スイッチ
３１ｇ、３１ｈ、３１ｉ  双投式メカニカルスイッチ
４１  保守バイパス盤
４１ａ  保守バイパス回路切換スイッチ
５１，５２  出力分岐盤
【図１】
2012222886.tif 000003
【図２】
2012222886.tif 000004
【図３】
2012222886.tif 000005